(57)【要約】【課題】端末無線機が自律的に通信網に加入することにより通信エリアを拡大する無線通信システムの提供を目的とする。【解決手段】無線通信システムは、時分割多元接続方式の通信網が構築された無線通信システムである。無線通信システムは、通信網を構築する複数の端末無線機を含む。複数の端末無線機の各々は、記憶部と制御部とを含む。記憶部は、複数の端末無線機に対して共通に予め定められた複数の周波数を記憶する。制御部は、複数の端末無線機のうち他の端末無線機から送信されるビーコン信号の周波数を、記憶部に記憶されている予め定められた複数の周波数でサーチすることにより、他の端末無線機と無線通信を行うための同期を確立する。複数の端末無線機の各々は、同期を確立することにより、自律的に通信網に加入する。【選択図】図１
2020098958.tif 000002
【特許請求の範囲】
【請求項１】
時分割多元接続方式の通信網が構築された無線通信システムであって、
前記通信網を構築する複数の端末無線機を備え、
前記複数の端末無線機の各々は、
前記複数の端末無線機に対して共通に予め定められた複数の周波数を記憶する記憶部と、
前記複数の端末無線機のうち他の端末無線機から送信されるビーコン信号の周波数を、前記記憶部に記憶されている前記予め定められた複数の周波数でサーチすることにより、前記他の端末無線機と無線通信を行うための同期を確立する制御部と、を含み、
前記複数の端末無線機の各々は、前記同期を確立することにより、自律的に前記通信網に加入する、無線通信システム。
【請求項２】
前記記憶部は、前記予め定められた複数の周波数を周波数テーブルに格納して記憶する、請求項１に記載の無線通信システム。
【請求項３】
前記複数の端末無線機の各々は、
前記無線通信における音声信号を受信する音声信号用アンテナとは別に設けられ、前記音声信号とは別の無線信号である前記ビーコン信号を受信するビーコン信号用アンテナと、
前記音声信号用アンテナで受信された前記音声信号を復調する音声信号復調部とは別に設けられ、前記ビーコン信号用アンテナで受信された前記ビーコン信号を復調するビーコン信号復調部と、をさらに備え、
前記制御部は、前記ビーコン信号復調部にて復調される前記ビーコン信号に基づき、前記同期を確立する、請求項１または請求項２に記載の無線通信システム。
【請求項４】
前記他の端末無線機は、
前記予め定められた複数の周波数のうち、特定の周波数のビーコン信号を、特定のスロットで送信し、
前記複数の端末無線機の各々の前記制御部は、
前記予め定められた複数の周波数のうち、受信信号が検出される一の周波数であって、前記特定のスロットにおける受信レベルが高い前記一の周波数を、前記ビーコン信号に対応する前記特定の周波数として認識し、前記一の周波数で、前記他の端末無線機と前記無線通信を行うための前記同期を確立する、請求項１から請求項３のいずれか一項に記載の無線通信システム。
【請求項５】
時分割多元接続方式の無線通信システムの通信網を構築する複数の端末無線機を構成する端末無線機であって、
前記複数の端末無線機に対して共通に予め定められた複数の周波数を記憶する記憶部と、
前記複数の端末無線機のうち他の端末無線機から送信されるビーコン信号の周波数を、前記記憶部に記憶されている前記予め定められた複数の周波数でサーチすることにより、前記他の端末無線機と無線通信を行うための同期を確立する制御部と、を備え、
前記同期を確立することにより、自律的に前記無線通信システムの前記通信網に加入する、端末無線機。
【請求項６】
前記記憶部は、前記予め定められた複数の周波数を周波数テーブルに格納して記憶する、請求項５に記載の端末無線機。
【請求項７】
前記無線通信における音声信号を受信する音声信号用アンテナとは別に設けられ、前記音声信号とは別の無線信号である前記ビーコン信号を受信するビーコン信号用アンテナと、
前記音声信号用アンテナで受信された前記音声信号を復調する音声信号復調部とは別に設けられ、前記ビーコン信号用アンテナで受信された前記ビーコン信号を復調するビーコン信号復調部と、をさらに備え、
前記制御部は、前記ビーコン信号復調部にて復調される前記ビーコン信号に基づき、前記同期を確立する、請求項５または請求項６に記載の端末無線機。
【請求項８】
前記他の端末無線機は、
前記予め定められた複数の周波数のうち、特定の周波数のビーコン信号を、特定のスロットで送信し、
前記制御部は、
前記予め定められた複数の周波数のうち、受信信号が検出される一の周波数であって、前記特定のスロットにおける受信レベルが高い前記一の周波数を、前記ビーコン信号に対応する前記特定の周波数として認識し、前記一の周波数で、前記他の端末無線機と前記無線通信を行うための前記同期を確立する、請求項５から請求項７のいずれか一項に記載の端末無線機。
【発明の詳細な説明】
【技術分野】
【０００１】
本発明は、無線通信システムおよび端末無線機に関する。
【背景技術】
【０００２】
同一周波数を用いた１波シンプレックス通信として、２つの端末無線機間の通信方向を相互に切り替えて通信する無線通信システムが知られている。しかし、２つの端末無線機間の距離が離れている場合や、２つの端末無線機間に障害物が存在する場合、送信信号が受信側に到達しないことがある。その解決策として、一般的には、送信信号を中継する中継機が２つの端末無線機の間に設置される。
【０００３】
特許文献１には、中継局の置局設計を簡便に行うことを可能にする無線通信システムが提案されている。特許文献２には、中継機から送信されるビーコン信号によって端末無線機の送信動作のタイミングを統一する無線通信システムが提案されている。
【先行技術文献】
【特許文献】
【０００４】
【特許文献１】特許第３４６０６９５号公報
【特許文献２】特許第６３４１８９０号公報
【発明の概要】
【発明が解決しようとする課題】
【０００５】
中継機によって端末無線機間の通信を中継する無線通信システムにおいては、中継機の送信可能エリアが通信可能エリアに対応する。そのため、中継機の送信電力が低い場合、中継機から遠く離れた端末無線機には送信信号が到達せず、中継機および端末無線機間の通信が不可能となる。
【０００６】
本発明は、以上のような課題を解決するためになされたものであり、端末無線機が自律的に通信網に加入することにより通信エリアを拡大する無線通信システムの提供を目的とする。
【課題を解決するための手段】
【０００７】
本発明に係る無線通信システムは、時分割多元接続方式の通信網が構築された無線通信システムである。無線通信システムは、通信網を構築する複数の端末無線機を含む。複数の端末無線機の各々は、記憶部と制御部とを含む。記憶部は、複数の端末無線機に対して共通に予め定められた複数の周波数を記憶する。制御部は、複数の端末無線機のうち他の端末無線機から送信されるビーコン信号の周波数を、記憶部に記憶されている予め定められた複数の周波数でサーチすることにより、他の端末無線機と無線通信を行うための同期を確立する。複数の端末無線機の各々は、同期を確立することにより、自律的に通信網に加入する。
【発明の効果】
【０００８】
本発明によれば、端末無線機が自律的に通信網に加入することにより通信エリアを拡大する無線通信システムの提供が可能である。
【０００９】
本発明の目的、特徴、局面、および利点は、以下の詳細な説明と添付図面とによって、より明白になる。
【図面の簡単な説明】
【００１０】
【図１】実施の形態１における無線通信システムの構成の一例を示す図である。
【図２】実施の形態１における端末無線機の構成を示すブロック図である。
【図３】実施の形態１における周波数テーブルの一例を示す図である。
【図４】端末無線機が有する処理回路の構成の一例を示す図である。
【図５】端末無線機が有する処理回路の構成の別の一例を示す図である。
【図６】実施の形態１における周波数サーチ処理の動作を示すフローチャートである。
【図７】実施の形態１における音声データの中継動作を示す図である。
【図８】実施の形態１における音声データの中継動作を示すタイミングチャートである。
【図９】実施の形態２における端末無線機の構成を示すブロック図である。
【発明を実施するための形態】
【００１１】
＜実施の形態１＞
図１は、実施の形態１における無線通信システムの構成の一例を示す図である。
【００１２】
無線通信システムは、複数の端末無線機１００で構築された通信網を有する。複数の端末無線機１００の各々は、通信可能エリアを有する。ここでは、複数の端末無線機１００は、端末無線機１０１から１０４を含む。端末無線機１０２および端末無線機１０３は、端末無線機１０１の通信可能エリア内に配置されている。端末無線機１０４は、端末無線機１０２の通信可能エリア内に配置されている。このように、無線通信システムの通信網は、４台の端末無線機１００で構築されており、１段目に端末無線機１０２および端末無線機１０３が、２段目に端末無線機１０４が配置された２段のツリー構造を有する。そのツリー構造において、端末無線機１０２は、中継機の機能を実現しており、それにより、無線通信システムは、通信可能エリアを拡大している。なお、図１に示される無線通信システムの通信網は一例であって、より多くの複数の端末無線機１００によって３段以上の多段ツリー構造が構築されてもよい。その場合、複数の端末無線機１００の各々が中継機の機能を実現する。それにより、無線通信システムは、通信可能エリアの拡大が可能である。実施の形態１において、通信方式は、時分割多元接続方式（ＴＤＭＡ：Time Division Multiple Access）方式である。また、無線通信は、１：Ｎのプレストーク通信である。
【００１３】
図２は、実施の形態１における複数の端末無線機１００のうち一の端末無線機１００Ａの構成を示すブロック図である。図１に示された端末無線機１０１から１０４は、図２に示される端末無線機１００Ａと同一の構成を有する。端末無線機１００Ａは、アンテナ３０２、送受信切替部３０３、変調部３０４、制御部３０５、復調部３０６、音声符号化部３０７、音声復号化部３０８、音声入力部３０９、音声出力部３１０、ビーコン信号生成部３１１、音声データ蓄積部３１２、変調データ選択部３１３、記憶部３１４を有する。
【００１４】
記憶部３１４は、複数の端末無線機１００に対して共通に予め定められた複数の周波数を記憶する。実施の形態１において、記憶部３１４は、予め定められた複数の周波数を、周波数テーブルに格納して記憶する。図３は、実施の形態１における周波数テーブルの一例を示す図である。記憶部３１４は、予め定められた複数の周波数として周波数Ｆ１から周波数Ｆｎまでを記憶している。
【００１５】
送受信切替部３０３は、制御部３０５の指示により、送信または受信のタイミングに合わせて、アンテナ３０２の接続先を変調部３０４または復調部３０６に切り替える。
【００１６】
変調データ選択部３１３は、制御部３０５の指示により、変調部３０４への接続先を音声符号化部３０７、ビーコン信号生成部３１１または音声データ蓄積部３１２に切り替える。
【００１７】
端末無線機１００Ａがビーコン信号を送信する場合、ビーコン信号生成部３１１にて生成されたビーコン信号は、変調データ選択部３１３、変調部３０４および送受信切替部３０３を介して、アンテナ３０２から送信される。ビーコン信号は、記憶部３１４に記憶されている予め定められた複数の周波数のうち、特定の周波数で送信される。また、ビーコン信号は、ＴＤＭＡ方式における特定のタイムスロット（以下、スロットという。）で送信される。すなわち、ビーコン信号は、ＴＤＭＡ方式におけるフレーム周期と一致する一定の周期で送信される。
【００１８】
端末無線機１００Ａがビーコン信号を受信する場合、制御部３０５は、他の端末無線機から送信されるビーコン信号に対する周波数サーチ処理を実行する。すなわち、制御部３０５は、他の端末無線機から送信されるビーコン信号の周波数を、記憶部３１４に記憶されている複数の周波数でサーチする。その周波数サーチ処理によって、制御部３０５は、他の端末無線機と無線通信を行うための同期を確立する。例えば、図１において、端末無線機１０２の制御部は、端末無線機１０１から送信されるビーコン信号２０１ａの周波数をサーチする。それにより、端末無線機１０２は、端末無線機１０１との無線通信のための同期を確立する。さらに、端末無線機１０４の制御部は、端末無線機１０２から送信されるビーコン信号２０２ａの周波数をサーチする。それにより、端末無線機１０４は、端末無線機１０２との無線通信のための同期を確立する。このように複数の端末無線機１００の各々が他の端末無線機との同期を確立することにより、複数の端末無線機１００の各々は自律的に無線通信システムの通信網に加入する。
【００１９】
以下に周波数サーチ処理機能の詳細を説明する。制御部３０５は、記憶部３１４に記憶されている予め定められた複数の周波数のうち、受信信号が検出される周波数を、複数のスロットに対して検索する。この際、制御部３０５は、受信データの復調結果の分析機能により、受信信号の有無を判断する。つまり、制御部３０５は、アンテナ３０２で受信され復調部３０６で復調される受信データの復調結果を周波数ごとに分析することにより、受信信号の有無を判断する。制御部３０５は、受信信号が検出された周波数におけるスロットタイミングの同期処理を実行する。制御部３０５は、特定のスロットにおける周波数の受信信号の受信電界レベルを測定し、測定結果を周波数テーブルに記憶させる。制御部３０５は、受信信号が検出された周波数のうち、他の周波数の受信電界レベルよりも受信電界レベルが高い一の周波数を、ビーコン信号に対応する特定の周波数として認識する。以上のように、制御部３０５は、予め定められた複数の周波数のうち、受信信号が検出される一の周波数であって、特定のスロットにおける受信電界レベルが高い一の周波数を、ビーコン信号に対応する特定の周波数として認識する。そして、制御部３０５は、その一の周波数で、他の端末無線機と無線通信を行うための同期を確立する。
【００２０】
図４は、端末無線機１００Ａが有する処理回路９０の構成の一例を示す図である。制御部３０５および記憶部３１４の各機能は、処理回路９０により実現される。すなわち、処理回路９０は、制御部３０５および記憶部３１４を有する。
【００２１】
図５は、端末無線機１００Ａが有する処理回路の構成の別の一例を示す図である。処理回路は、プロセッサ９１とメモリ９２とを有する。プロセッサ９１がメモリ９２に格納されるプログラムを実行することにより、制御部３０５および記憶部３１４の各機能が実現される。例えば、プログラムとして記述されたソフトウェアまたはファームウェアがプロセッサ９１により実行されることにより各機能が実現される。すなわち、端末無線機１００Ａは、プログラムを格納するメモリ９２と、そのプログラムを実行するプロセッサ９１とを有する。また、記憶部３１４の機能は、メモリ９２によって実現されてもよい。
【００２２】
プログラムには、端末無線機１００Ａが、他の端末無線機から送信されるビーコン信号の周波数を、記憶部３１４に記憶されている複数の周波数でサーチし、他の端末無線機と無線通信を行うための同期を確立する機能が記述されている。また、プログラムは、制御部３０５および記憶部３１４の手順または方法をコンピュータに実行させるものである。
【００２３】
上述した制御部３０５および記憶部３１４の各機能は、一部が専用のハードウェアによって実現され、他の一部がソフトウェアまたはファームウェアにより実現されてもよい。このように、処理回路は、ハードウェア、ソフトウェア、ファームウェア、またはこれらの組み合わせによって、上述の各機能を実現する。
【００２４】
図６は、実施の形態１における端末無線機１００Ａの周波数サーチ処理の動作を示すフローチャートである。
【００２５】
ここでは、図１に示される無線通信システムにおいて、電源が投入されている端末無線機１０２が端末無線機１０１の通信可能エリア内に移動した場合、もしくは、端末無線機１０２が端末無線機１０１の通信可能エリア内で電源投入した場合に、端末無線機１０２の制御部３０５が開始する周波数サーチ処理を一例として説明する。
【００２６】
ステップＳ１にて、制御部３０５は、受信周波数を、周波数テーブルに格納されている予め定められた複数の周波数のうち、周波数Ｆａ（ａ＝１）に設定する。
【００２７】
ステップＳ２にて、制御部３０５は、すべての周波数に対して受信信号の検索を完了したか否かを判定する。制御部３０５が、すべての周波数に対して受信信号の検索を完了していない場合、ステップＳ３が実行される。制御部３０５が、すべての周波数に対して受信信号の検索を完了した場合、ステップＳ７が実行される。ここでは、受信周波数が、周波数Ｆａ（ａ＝＜ｎ＋１）になった場合に、ステップＳ７が実行される。
【００２８】
ステップＳ３にて、制御部３０５は、全スロットで受信信号の受信動作を実行し、受信信号を検出したか否かを判定する。ここでは、制御部３０５は、アンテナ３０２で受信される受信信号を復調部３０６により復調された復調結果を分析して、受信信号の有無を判定する。受信信号がある場合、ステップＳ４が実行される。受信信号がない場合、ステップＳ６が実行される。
【００２９】
ステップＳ４にて、制御部３０５は、予め定められた時間内にスロットタイミングの同期処理が完了したか否かを判定する。制御部３０５は、端末無線機１０１からビーコン信号２０１ａが送信されている特定のスロットにタイミングを合わせるための同期処理を行う。予め定められた時間内にスロットタイミングの同期処理が完了した場合、ステップＳ５が実行される。予め定められた時間内にスロットタイミングの同期処理が完了しない場合、すなわちタイムアウトとなる場合、ステップＳ６が実行される。
【００３０】
ステップＳ５にて、制御部３０５は、特定のスロットにおける受信電界レベルＬａを測定する。記憶部３１４は、制御部３０５にて測定された受信電界レベルＬａを記憶する。ここでは、受信電界レベルＬａは、図３に示されるように、周波数テーブルに格納される。
【００３１】
ステップＳ６にて、制御部３０５は、受信周波数を、周波数テーブルに格納されている次の周波数Ｆａ（ａ＝ａ＋１）に設定する。そして、ステップＳ２が再び実行される。受信周波数が、周波数テーブルに格納された周波数Ｆａ（ａ＝ｎ）に設定されるまで、ステップＳ２からＳ６が繰り返される。
【００３２】
ステップＳ７にて、制御部３０５は、受信信号が検出された周波数のうち、受信電界レベルが高い一の周波数を、ビーコン信号２０１ａに対応する特定の周波数として認識する。例えば、制御部３０５は、受信電界レベルが最も高い周波数をビーコン信号２０１ａに対応する特定の周波数として認識する。ここでは、その一の周波数を周波数テーブルに格納された周波数Ｆ１とする。
【００３３】
端末無線機１０２の制御部３０５は、その周波数Ｆ１を上位の端末無線機１０１との送受信周波数として認識する。さらに、制御部３０５は、周波数テーブルに格納された周波数Ｆ１の次の周波数Ｆ２を、下位の端末無線機１０４との送受信周波数として認識する。
【００３４】
以上の周波数サーチ処理により、端末無線機１０２は、端末無線機１０１および端末無線機１０３で構築される無線通信システムの通信網に、自律的に加入する。
【００３５】
さらに、端末無線機１０２が加入した端末無線機１０１から１０３で構築される無線通信システムにおいて、端末無線機１０４が端末無線機１０２の通信可能エリア内に移動した場合、端末無線機１０４の制御部３０５は、上記と同様の周波数サーチ処理を開始する。その結果、端末無線機１０４の制御部３０５は、受信電界レベルが最も高い周波数をビーコン信号２０２ａに対応する周波数と認識する。すなわち端末無線機１０４の制御部３０５は、周波数Ｆ２を、上位の端末無線機１０２との送受信周波数と認識し、その次の周波数Ｆ３を、下位の端末無線機との送受信周波数として認識する。以上により、端末無線機１０４は、端末無線機１０１から端末無線機１０３で構築される無線通信システムの通信網に、自律的に加入する。
【００３６】
図７は、実施の形態１における無線通信システムによる音声データの中継動作を示す図である。図８は、実施の形態１における無線通信システムによる音声データの中継動作を示すタイミングチャートである。
【００３７】
端末無線機１０２および端末無線機１０３は、端末無線機１０１によって送信されるビーコン信号２０１ａに無線通信のタイミングが同期している。その送受信周波数は、周波数Ｆ１である。端末無線機１０４は、端末無線機１０２によって送信されるビーコン信号２０２ａに無線通信のタイミングが同期している。その送受信周波数は、周波数Ｆ２である。
【００３８】
端末無線機１０４の音声入力部３０９に音声データが入力される。端末無線機１０４の音声符号化部３０７は、その音声データに対して音声符号化処理を行う。端末無線機１０４は、音声符号化処理が施された音声信号２０４を、スロット「０３」、周波数Ｆ２で送信を開始する。
【００３９】
端末無線機１０２のアンテナ３０２は、端末無線機１０４から送信された音声信号２０４を受信する。端末無線機１０２の復調部３０６は、音声信号２０４に対し復調処理を実行する。音声データ蓄積部３１２は、復調処理後の音声データを保存する。
【００４０】
端末無線機１０２の変調部３０４は、音声データ蓄積部３１２から音声データを読み込んで変調処理を実行する。端末無線機１０２は、変調処理が施された音声信号２０３を、スロット「０８」、周波数Ｆ１で送信する。すなわち、端末無線機１０２は、端末無線機１０４から送信された音声信号２０４を音声信号２０３として端末無線機１０１に中継送信する。
【００４１】
端末無線機１０１のアンテナ３０２は、端末無線機１０２から送信された音声信号２０３を受信する。端末無線機１０１の復調部３０６は、音声信号２０３に対し復調処理を実行する。音声データ蓄積部３１２は、復調処理後の音声データを保存する。それと共に、音声復号化部３０８は、復調処理後の音声データを復号する。音声出力部３１０は、音声信号２０３に対応する音声を出力する。
【００４２】
端末無線機１０１は、ビーコン信号２０１ａに代えて、音声信号２０１ｂを、スロット「１０」、周波数Ｆ１で送信する。
【００４３】
端末無線機１０２および端末無線機１０３のアンテナ３０２は、音声信号２０１ｂを受信する。復調部３０６は、音声信号２０１ｂに対し復調処理を実行する。音声データ蓄積部３１２は、復調処理後の音声データを保存する。それと共に、音声復号化部３０８は、復調処理後の音声データを復号する。音声出力部３１０は、音声信号２０１ｂに対応する音声を出力する。
【００４４】
端末無線機１０２および端末無線機１０３は、ビーコン信号２０２ａに代えて、音声信号２０２ｂを、スロット「１３」、周波数Ｆ２で送信を開始する。
【００４５】
以上をまとめると、実施の形態１における無線通信システムは、時分割多元接続方式の通信網が構築された無線通信システムである。無線通信システムは、通信網を構築する複数の端末無線機１００を含む。複数の端末無線機１００の各々は、記憶部３１４と制御部３０５とを含む。記憶部３１４は、複数の端末無線機１００に対して共通に予め定められた複数の周波数を記憶する。制御部３０５は、複数の端末無線機１００のうち他の端末無線機から送信されるビーコン信号の周波数を、記憶部３１４に記憶されている予め定められた複数の周波数でサーチすることにより、他の端末無線機と無線通信を行うための同期を確立する。複数の端末無線機１００の各々は、同期を確立することにより、自律的に通信網に加入する。
【００４６】
このような無線通信システムは、端末無線機１００の自律的な通信網への加入により、通信エリアの拡大を可能にする。また、無線通信システムに加入した全ての端末無線機１００が、互いに中継動作を行うため、通信エリアの拡大とともに安定した通信品質の提供が可能である。
【００４７】
また、実施の形態１における無線通信システムの複数の端末無線機１００の各々の記憶部３１４は、予め定められた複数の周波数を周波数テーブルに格納して記憶する。
【００４８】
このような無線通信システムは、周波数テーブルによって周波数サーチ処理機能に用いられる周波数を容易に管理することができる。
【００４９】
また、実施の形態１における無線通信システムの他の端末無線機は、予め定められた複数の周波数のうち、特定の周波数のビーコン信号を、特定のスロットで送信する。複数の端末無線機１００の各々の制御部３０５は、予め定められた複数の周波数のうち、受信信号が検出される一の周波数であって、特定のスロットにおける受信レベルが高い一の周波数を、ビーコン信号に対応する特定の周波数として認識し、一の周波数で、他の端末無線機と無線通信を行うための同期を確立する。
【００５０】
このような構成により、他の端末無線機から送信されるビーコン信号に対応する周波数のサーチ精度が向上する。
【００５１】
また、実施の形態１における端末無線機１００Ａは、時分割多元接続方式の無線通信システムの通信網を構築する複数の端末無線機１００を構成する。端末無線機１００Ａは、記憶部３１４と制御部３０５とを含む。記憶部３１４は、複数の端末無線機１００に対して共通に予め定められた複数の周波数を記憶する。制御部３０５は、複数の端末無線機１００のうち他の端末無線機から送信されるビーコン信号の周波数を、記憶部３１４に記憶されている予め定められた複数の周波数でサーチすることにより、他の端末無線機と無線通信を行うための同期を確立する。端末無線機１００Ａは、同期を確立することにより、自律的に無線通信システムの通信網に加入する。
【００５２】
このような端末無線機１００Ａは、自身の自律的な通信網への加入により、無線通信システムの通信エリアの拡大を可能にする。また、無線通信システムに加入した全ての端末無線機１００が、互いに中継動作を行うため、通信エリアの拡大とともに安定した通信品質の提供が可能である。
【００５３】
また、実施の形態１における端末無線機１００Ａの記憶部３１４は、予め定められた複数の周波数を周波数テーブルに格納して記憶する。
【００５４】
このような端末無線機１００Ａは、周波数テーブルによって周波数サーチ処理機能に用いられる周波数を容易に管理することができる。
【００５５】
また、実施の形態１における他の端末無線機は、予め定められた複数の周波数のうち、特定の周波数のビーコン信号を、特定のスロットで送信する。端末無線機１００Ａの制御部３０５は、予め定められた複数の周波数のうち、受信信号が検出される一の周波数であって、特定のスロットにおける受信レベルが高い一の周波数を、ビーコン信号に対応する特定の周波数として認識し、一の周波数で、他の端末無線機と無線通信を行うための同期を確立する。
【００５６】
このような構成により、他の端末無線機から送信されるビーコン信号に対応する周波数のサーチ精度が向上する。
【００５７】
＜実施の形態２＞
実施の形態２における無線通信システムおよび端末無線機を説明する。なお、実施の形態１と同様の構成および動作については説明を省略する。
【００５８】
端末無線機が移動可能である場合、無線通信システムに一度加入した端末無線機が、上位の端末無線機の通信可能エリアの外に移動することが想定される。その場合、無線通信システムを構成する通信網の再構築が必要となる。実施の形態２における無線通信システムは、端末無線機が移動した場合でも、その通信網の再構築をスムーズに実行することを可能にする。
【００５９】
実施の形態２における無線通信システムを構成する複数の端末無線機は、アンテナおよび復調部の構成が実施の形態１とは異なる。図９は、実施の形態２における端末無線機１００Ｂの構成を示すブロック図である。端末無線機１００Ｂは、音声信号用アンテナ３０２Ａ、ビーコン信号用アンテナ３０２Ｂ、音声信号復調部３０６Ａ、ビーコン信号復調部３０６Ｂおよび電界測定機（図示せず）を有する。
【００６０】
音声信号用アンテナ３０２Ａは、無線通信における音声信号を受信する。ビーコン信号用アンテナ３０２Ｂは、音声信号とは別の無線信号であるビーコン信号を受信する。
【００６１】
音声信号復調部３０６Ａは、音声信号を復調する。ビーコン信号復調部３０６Ｂは、音声信号復調部とは別に設けられ、ビーコン信号用アンテナ３０２Ｂで受信されたビーコン信号を復調する。
【００６２】
ビーコン信号用アンテナ３０２Ｂおよびビーコン信号復調部３０６Ｂは、送信動作は行わず、受信動作のみを実行する。例えば、ビーコン信号用アンテナ３０２Ｂおよびビーコン信号復調部３０６Ｂは、制御部３０５が実施の形態１に示された周波数サーチ処理を常時実行することを可能にする。
【００６３】
制御部３０５は、ビーコン信号用アンテナ３０２Ｂおよびビーコン信号復調部３０６Ｂを介して、周波数テーブルに格納された複数の周波数の各々における受信電界レベルを、一定周期で測定する。そして、制御部３０５は、他の端末無線機との同期を確立する。
【００６４】
このような無線通信システムおよび端末無線機１００Ｂは、予め定められた複数の周波数の各々における受信電界レベルを、常に最新の状態に保つ。そのため、端末無線機が上位の端末無線機の通信可能エリアの外に移動した場合であっても、無線通信システムは、通信網の再構築を容易に実行可能である。
【００６５】
なお、本発明は、その発明の範囲内において、各実施の形態を自由に組み合わせたり、各実施の形態を適宜、変形、省略したりすることが可能である。
【００６６】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【００６７】
１００  複数の端末無線機、１００Ａ  端末無線機、１００Ｂ  端末無線機、１０１  端末無線機、１０２  端末無線機、２０１ａ  ビーコン信号、２０１ｂ  音声信号、２０２ａ  ビーコン信号、２０２ｂ  音声信号、３０２  アンテナ、３０２Ａ  音声信号用アンテナ、３０２Ｂ  ビーコン信号用アンテナ、３０５  制御部、３０６  復調部、３０６Ａ  音声信号復調部、３０６Ｂ  ビーコン信号復調部、３１１  ビーコン信号生成部、３１４  記憶部。
【図１】
2020098958.tif 000003
【図２】
2020098958.tif 000004
【図３】
2020098958.tif 000005
【図４】
2020098958.tif 000006
【図５】
2020098958.tif 000007
【図６】
2020098958.tif 000008
【図７】
2020098958.tif 000009
【図８】
2020098958.tif 000010
【図９】
2020098958.tif 000011